(57)【要約】【課題】  複数の外刃を有する回転式電気かみそりにおいて、髭剃り皮膚面に対する外刃の追従性を向上させ剃り感を良好にするとともに、剃り残しをなくしコンパクトに形成することができる回転式電気かみそりを提供する。【解決手段】  複数の円形の外刃取付孔が設けられ本体の一端に取り付けられた外刃枠２０と、剃り面に髭導入孔が設けられ、前記外刃取付孔内で変位可能に前記外刃枠に支持された外刃３０と、該外刃３０の剃り面の内面に形成された外刃面に摺接し、前記本体に設けられた駆動機構に連繋して回転駆動され、前記髭導入孔から導入された髭を剪断する内刃とを備えた回転式電気かみそりにおいて、前記外刃枠２０に、前記外刃取付孔の少なくとも２つを連絡して一つの孔として形成された外刃装着孔２２が設けられ、前記外刃３０が、前記外刃装着孔２２内で変位可能に前記外刃枠２０に支持されていることを特徴とする。【選択図】          図２
2008073358.tif 000002
【特許請求の範囲】
【請求項１】
複数の円形の外刃取付孔が設けられ本体の一端に取り付けられた外刃枠と、剃り面に髭導入孔が設けられ、前記外刃取付孔内で変位可能に前記外刃枠に支持された外刃と、該外刃の剃り面の内面に形成された外刃面に摺接し、前記本体に設けられた駆動機構に連繋して回転駆動され、前記髭導入孔から導入された髭を剪断する内刃とを備えた回転式電気かみそりにおいて、
前記外刃枠に、前記外刃取付孔の少なくとも２つを連絡して一つの孔として形成された外刃装着孔が設けられ、
前記外刃が、前記外刃装着孔内で変位可能に前記外刃枠に支持されていることを特徴とする回転式電気かみそり。
【請求項２】
前記外刃は、剃り面が前記外刃枠の外面よりも低位置にまで変位可能に設けられていることを特徴とする請求項１記載の回転式電気かみそり。
【請求項３】
前記外刃は、円環状の刃形成領域が形成された第１の外刃と、該第１の外刃の内側に配された第２の外刃とを備え、
前記第２の外刃は、前記第１の外刃に対して変位可能に設けられていることを特徴とする請求項１または２記載の回転式電気かみそり。
【請求項４】
前記第２の外刃は、前記第１の外刃に対して剃り面が外方に突出するように付勢して支持されていることを特徴とする請求項３記載の回転式電気かみそり。
【請求項５】
前記第１の外刃は、変位可能に前記外刃枠に軸支されていることを特徴とする請求項３または４記載の回転式電気かみそり。
【請求項６】
前記第２の外刃には、剃り面の外周側面で端部が開口するスリット状の髭導入孔が形成されていることを特徴とする請求項３〜５のいずれか一項記載の回転式電気かみそり。
【請求項７】
前記外刃枠に変位可能に、前記外刃装着孔において前記外刃取付孔が占める領域を除く領域部分を遮蔽するよう設けられた遮蔽体が設けられていることを特徴とする請求項１〜６のいずれか一項記載の回転式電気かみそり。
【請求項８】
前記遮蔽体は、前記第１の外刃に連結して設けられていることを特徴とする請求項７記載の回転式電気かみそり。
【発明の詳細な説明】
【技術分野】
【０００１】
本発明は、外刃が装着される外刃枠の形態、および外刃枠における外刃の配置方法を特徴とする回転式電気かみそりに関する。
【背景技術】
【０００２】
回転式電気かみそりには、外刃枠に２個あるいは３個の外刃を装着した製品がある。図１７は、外刃枠に３個の外刃を装着した回転式電気かみそりの例である。この電気かみそりは、本体５のヘッド部に外刃枠１２が脱着自在に装着され、外刃枠１２に３個の外刃１０が装着されたものである。外刃枠１２には外刃１０を装着する３個の外刃取付孔１１が設けられ、外刃１０はこの装着孔に変位可能に設けられている（特許文献１参照）。
【０００３】
ところで、外刃枠へ外刃を装着する方法として、従来の回転式電気かみそりでは、外刃を外刃枠の外面（外刃枠の外面で皮膚に対向する面）から突出した位置に固定したもの、外刃が外刃枠に対して変位した場合でも、外刃の剃り面が外刃枠の外面から突出する位置でストッパ等により変位位置が規制されているもの、また、剃り面が外刃枠の外面よりも下側に沈み込む位置まで外刃を変位可能にしたものがある。この剃り面が外刃枠の外面よりも下側に沈み込み可能とした場合は、外刃が所定の圧力以上で押された際に、外刃が外刃枠から沈み込み、外刃取付孔の周縁で皮膚が支持されることにより、必要以上の力で皮膚に外刃が当たることが抑えられる。
【特許文献１】特開２００１−７５５号公報
【発明の開示】
【発明が解決しようとする課題】
【０００４】
図１８は、外刃１０の剃り面１０ａが外刃枠１２の外面１２ｂよりも沈み込むようにした従来の電気かみそりにおいて、複数の外刃１０を同時に髭剃り皮膚面に当てて髭剃りする状態での髭剃り皮膚面と外刃１０との関係を説明的に示している。
外刃枠１２に装着された外刃１０は髭剃り時に、外刃１０を皮膚に押し当てる力によっていろいろに変位する。図１８（ａ）は、たとえば複数の外刃１０の剃り面１０ａを顎下などの凸状部分に押し当てて髭剃りする場合で、外刃１０の剃り面１０ａが外刃枠１２の外面１２ｂと同一高さ程度となるまで押し当てた場合である。この場合には、凸状に形成された髭剃り皮膚面は滑らかな形状のまま外刃１０が髭剃り皮膚面に追従して変位する。
【０００５】
しかしながら、図１８（ａ）に示す状態よりも、押し当て力を強くして、外刃１０の剃り面１０ａが外刃枠１２の外面１２ｂよりも下位置となるまで外刃１０が変位すると（図１８（ｂ））、リブ１２ａの付近では皮膚がリブ１２ａによって支えられ、下に沈み込まなくなるためにリブ１２ａの付近では外刃１０が皮膚に追従しなくなり、滑らかな髭剃りができなくなる。
また、深剃りのために押し当て力をさらに強くして、外刃１０の剃り面１０ａの全体が外刃枠１２の外面１２ｂよりも下位置となるまで外刃１０が変位した場合（図１８（ｃ））には、リブ１２ａの付近では髭剃り皮膚に対する外刃１０の追従性がさらに低下する。
【０００６】
なお、従来の回転式電気かみそりにおいては、隣り合った外刃の中間のリブ１２ａの部分は剃り面としては作用しない部分であり、電気かみそりを動かして髭剃りした際に、外刃１０の中間部分が剃り残しを生じる部分になる。
本発明は、外刃枠に変位可能に複数の外刃を装着した回転式電気かみそりにおいて、髭剃り皮膚面に対する外刃の剃り面の追従性を向上させ、これによって剃り感を良好にすることを可能とし、また、剃り残しを防止して的確な髭剃りが可能となる回転式電気かみそりを提供することを目的とする。
【課題を解決するための手段】
【０００７】
上記目的を達成するため、本発明は次の構成を備える。
すなわち、複数の円形の外刃取付孔が設けられ本体の一端に取り付けられた外刃枠と、剃り面に髭導入孔が設けられ、前記外刃取付孔内で変位可能に前記外刃枠に支持された外刃と、該外刃の剃り面の内面に形成された外刃面に摺接し、前記本体に設けられた駆動機構に連繋して回転駆動され、前記髭導入孔から導入された髭を剪断する内刃とを備えた回転式電気かみそりにおいて、前記外刃枠に、前記外刃取付孔の少なくとも２つを連絡して一つの孔として形成された外刃装着孔が設けられ、前記外刃が、前記外刃装着孔内で変位可能に前記外刃枠に支持されていることを特徴とする。
なお、外刃取付孔とは、外刃を装着するために外刃枠に独立の単一孔形状に形成した孔であり、本発明においては、これらの単一孔形状として設けていた外刃取付孔を連絡して一つの孔（連通孔）として外刃装着孔を形成する。外刃装着孔を設計する際には、まず、外刃を適宜配置し、その外刃の配置位置に従来と同様な外刃取付孔を想定し、これらの外刃取付孔を連絡して一つの外刃装着孔を形成する。外刃は、外刃装着孔を設計する際に想定した外刃取付孔の位置に配置する。
【０００８】
また、前記外刃は、剃り面が前記外刃枠の外面よりも低位置まで沈み込み可能に設けられていることにより、所定の圧力以上で外刃を髭剃り皮膚面に押圧した場合でも、複数の外刃の剃り面が髭剃り皮膚面にならって外刃の追従性が向上し、剃り効率を向上させ、ひりつきを抑えることが可能になる。
また、前記外刃は、円環状の刃形成領域が形成された第１の外刃と、該第１の外刃の内側に配された第２の外刃とを備え、前記第２の外刃は、前記第１の外刃に対して変位可能に設けられていることを特徴とする。なお、本明細書で、「変位可能」とは、第２の外刃が第１の外刃に対する昇降動作、傾動動作のいずれか、あるいは双方の動作が可能であるという意味で使用する。
第２の外刃が第１の外刃に対して変位可能であることから、外刃装着孔に装着された各々の外刃が、髭剃り皮膚面の凹凸にならって追従でき、的確な髭剃り可能になる。
また、前記第２の外刃が、前記第１の外刃に対して剃り面が外方に突出するように付勢して支持されていることにより、髭剃り時に髭剃り皮膚面の凹部等に剃り面が追従しやすくなり、髭剃り皮膚面に外刃を押し当てる押圧力に応じて、外刃の剃り面が髭剃り皮膚面にならって接触して髭剃りすることができる。
【０００９】
また、前記第１の外刃は、前記外刃枠に対して変位可能に前記外刃枠に軸支されていることにより、髭剃り時に軸を支点として第１の外刃が傾動しやすくなり、外刃枠に単に昇降および傾動可能に外刃を支持した場合とくらべて、第１の外刃および第１の外刃に支持された第２の外刃の傾動量を大きくすることができ、髭剃り皮膚に対する追従性を向上させることができる。
【００１０】
また、前記第２の外刃には、剃り面の外周側面で端部が開口するスリット状の髭導入孔が形成されていることにより、長い髭であっても髭導入孔から外刃内に導入され確実に髭剃りすることが可能になる。
また、前記外刃枠に変位可能に、前記外刃装着孔において前記外刃取付孔が占める領域を除く領域部分を遮蔽するよう設けられた遮蔽体が設けられていることにより、外刃枠に装着された外刃の変位動作を妨げることなく髭剃りすることが可能となり、髭剃りくずが電気かみそりのヘッド部から外部に漏れないようにして髭剃りすることができる。
また、前記遮蔽体は、前記第１の外刃に連結して設けられていることにより、前記第１の外刃の動作に追従して遮蔽体が動き、外刃による髭剃り作用を損なうことなく、髭剃りくずが外部に漏出することを防止する作用を奏する。なお、遮蔽体が前記第１の外刃に連結しているとは、外刃と一体に遮蔽体を形成する場合と、外刃とは別部材、たとえば樹脂によって遮蔽体を形成して外刃に一体的に取り付ける場合を含む意である。
【発明の効果】
【００１１】
本発明に係る回転式電気かみそりは、外刃取付孔を連絡して一つの孔として形成した外刃装着孔に外刃を配する構成とし、隣り合った外刃の中間部分からリブを排除した構成としたことにより、リブによって髭剃り皮膚面が変形することがなくなり、隣り合った外刃の剃り面を同時に髭剃り皮膚面に追従させ、効率的な髭剃りを可能にする。また、隣り合った外刃の中間部分では、隣り合った外刃同士の剃り面によって髭剃り皮膚面が支持され、従来の外刃取付孔の周縁部により髭剃り皮膚が支持される作用と同様に、一方の外刃に対しては他方の外刃が髭剃り皮膚面を支持するように作用することによって、髭導入孔に皮膚が入り込むことを防止し、ひりつきを防止することができる。隣り合った外刃同士により髭剃り皮膚面を支持する作用は、外刃がより接近して配置されることによってより強められ、髭剃り皮膚面をさらに確実に支持できるようになるとともに、外刃をより接近して配置することによって、剃り残しを少なくすることが可能になる。
【発明を実施するための最良の形態】
【００１２】
以下、本発明の好適な実施の形態について添付図面とともに詳細に説明する。
（２個の外刃を備える電気かみそり）
図１は、本発明に係る回転式電気かみそりの一実施形態として、外刃枠２０に２個の外刃３０を装着した回転式電気かみそりを示す。
外刃枠２０は電気かみそりの本体６の一端（上部）に脱着自在に取り付けられ、外刃３０は外刃枠２０に変位可能に装着されている。
従来の回転式電気かみそりにおいては、外刃枠に形成される外刃取付孔は、外刃の配置位置に合わせて円形に開口して設けられ、外刃枠には２個の外刃取付孔が設けられている。これに対して、本実施形態においては、２個の外刃取付孔を連通して一つの外刃装着孔２２として外刃３０を装着したことが特徴である。
【００１３】
図２に、外刃枠２０に外刃３０を装着した状態の平面図を示す。外刃枠２０は長円形状の平面形状に形成されているのに対して、外刃装着孔２２は２個の外刃取付孔を連絡して一つの連通した孔に形成され、中間部がややくびれた形状に形成されている。
外刃３０は、外刃装着孔２２の両端の円形部分に位置合わせして装着される。外刃３０の外周側面は外刃装着孔２２の内周側面に摺接し、外刃枠２０に対して外刃３０は変位自在となる。なお、外刃３０は外刃装着孔２２の内周側面との間のガタにより任意方向に、若干傾動可能である。
【００１４】
外刃枠２０に装着する外刃３０の形態、たとえば剃り面の全面を刃形成領域とするか、剃り面に円環状の刃形成領域を形成するか、刃形成領域に設ける髭導入孔をスリット孔とするか、円形孔あるいは多角形孔とするか等については任意に選択可能である。本実施形態の外刃３０は、円環状の剃り面３３を備えたリング状に形成された第１の外刃３１と、この第１の外刃３１によって囲まれた内側領域に装着された第２の外刃３２とから構成される。第１の外刃３１の剃り面３３にはスリット状の髭導入孔が形成され、第２の外刃３２には同心状に２個の剃り面３４ａ、３４ｂが設けられ、各々の剃り面３４ａ、３４ｂにスリット状の髭導入孔が形成されている。
【００１５】
外刃装着孔２２に装着された２個の外刃３０の中間には遮蔽体２５が装着される。この遮蔽体２５は２個の外刃３０の中間に生じる開口域を遮蔽するためのものである。遮蔽体２５は、その外面が外刃３０の外周側面および外刃装着孔２２の内周側面と摺接し、外刃枠２０に変位可能に取り付けられる。遮蔽体２５を変位可能に支持する方法としては、たとえば外刃装着孔２２の内側面から遮蔽体２５に向けてガイドピン２６を延設し、このガイドピン２６を遮蔽体２５の側面に設けたガイド溝に係合させるようにすればよい。ガイドピン２６にスプリング等の付勢手段を設け、遮蔽体２５が常時は上位置に復帰するようにすることもできる。なお、遮蔽体２５は上位置にある状態で外刃３０の剃り面よりは上面が低位となるようにするのがよい。
【００１６】
（外刃と内刃の構成）
図３は、外刃３０と内刃の構成、および内刃を回転駆動する駆動機構の構成を示す。
第１の外刃３１には、スリット状の髭導入孔３１ａが形成された円環状の剃り面３１１が形成されている。髭導入孔３１ａは剃り面３１１を横断して設けられ、髭導入孔３１ａは第１の外刃３１の側面で開口する。
第１の外刃３１は、外周側面が外刃枠２０に形成された外刃装着孔２２に摺接するように装着され、また、第１の外刃３１の外周面の下縁に設けたフランジ部３１ｂが外刃枠２０に係合する。これによって、第１の外刃３１は外刃枠２０に対して、上方に抜け止めされる。
第１の外刃３１には、剃り面３１１の内面に形成された外刃面３１１ａに摺接する複数の刃部４０１と刃部４０１を支持する支持板部４０２とを備える第１の内刃４０が装着される。
【００１７】
第２の外刃３２には、円環状の２個の剃り面３２１、３２２が同心状に形成され、それぞれの剃り面３２１、３２２にスリット状の髭導入孔３２ａが形成されている。髭導入孔３２ａは少なくとも外周側の剃り面３２２の外周側面で端部が開口する。
第２の外刃３２の外側面には凸部３２３が設けられ、凸部３２３が第１の外刃３１の内側面に上下方向に延びるガイドスリット３１２に係合する。ガイドスリット３１２および凸部３２３は周方向に均等配置となる４箇所に設けられ、第２の外刃３２は第１の外刃３１に対して任意の方向に傾動可能となり、回り止めされる。
第２の外刃３２には、剃り面３２１、３２２の内面に形成された外刃面に摺接する複数の刃部５０１、５０２と、刃部５０１、５０２を支持する刃支持部５０３とを備える第２の内刃５０が装着される。
【００１８】
第２の内刃５０の中央部には、本体６に内蔵された駆動モータ７０によって回転駆動される駆動軸６０の先端に設けられた係合部６０ａが脱着可能に係合する係合部材５２が固定されている。係合部材５２は、係合部６０ａに係合した状態で任意の方向に傾動可能、かつ駆動軸６０の回転駆動力が第２の内刃５０に伝達される形状に形成されている。
第１の内刃４０に設けられた支持板部４０２は、第２の内刃５０の刃支持部５０３の下方に位置する。刃支持部５０３からは支持板部４０２に向けて係止突起５４が延出する。支持板部４０２には係止突起５４の先端が進入して係合する係合孔４０ｃが設けられ、第１の内刃４０と第２の内刃５０が同心配置となる。
【００１９】
支持板部４０２の基部には駆動軸６０の側面に摺接して、第１の内刃４０を駆動軸６０と同心にガイドするガイド部４４が設けられている。ガイド部４４からは筒部４６が駆動軸６０の軸線方向と同心に、駆動軸６０に外挿するように延設される。筒部４６には、駆動軸６０の中途に形成された段差６０ｂと筒部４６との基部との間を弾発するスプリング４８が装着される。
【００２０】
本実施形態の回転式電気かみそりは、駆動軸６０がスプリング７５により第２の内刃５０を外方に突出する向きに付勢し、第２の外刃３２を外方に突出させるように支持している。図３は、駆動軸６０がスプリング７５の弾発付勢力によって上位置（突出位置）に押し上げられ、第２の外刃３２が突出位置にある状態を示す。第２の外刃３２の突出位置は、第２の外刃３２の外側面に設けられた凸部３２３がガイドスリット３１２の上端縁に当接し、第１の外刃３１のフランジ部３１ｂが外刃枠２０に設けられた外刃装着孔２２の内周縁に当接することによって規制される。
第１の外刃３１の突出位置は剃り面が外刃枠２０の外面よりも突出した位置であり、また、第１および第２の外刃３１、３２が突出した状態で第２の外刃３２の剃り面が第１の外刃３１の剃り面よりも突出する。
【００２１】
２個の外刃３０の中間に配される遮蔽体２５は、第１の外刃３１の外側面に摺接した状態で外刃枠２０に支持される。遮蔽体２５の側面には、第１の外刃３１の外周側面の下縁に形成されたフランジ部３１ｂが摺接して上下動を可能にする凹部２５１が形成されている。
こうして、第１の外刃３１および第２の外刃３２は、外刃枠２０に対して変位可能、すなわちいわゆるフローティングした状態で髭剃りがなされる。
【００２２】
図４に、図３に示す第１の外刃３１と第２の外刃３２の剃り面における髭導入孔３１ａ、３２ａの平面配置を拡大して示す。本実施形態では、第１の外刃３１にはスリット状の髭導入孔３１ａが形成され、髭導入孔３１ａは第１の外刃３１の外周側面で端部が開口する。したがって、第１の外刃３１では髭の導入側である外刃の外周側から確実に髭導入孔３１ａに髭を導入して髭剃りすることができる。
また、第２の外刃３２については、円環状に形成された剃り面のうち、外周側の剃り面については、髭導入孔３２ａをスリット状とし外周側面で髭導入孔３２ａが開口するように設けることで、第２の外刃３２の外周側面から髭導入孔３２ａに髭を導入することができる。これによって、長い髭であっても的確に髭導入孔３１ａ、３２ａに導入してカットすることができる。
【００２３】
なお、図４において、中心線C.L.の下半部には、第１の外刃３１と第２の外刃３２に円形の髭導入孔３１ａ、３２ａを設けた例を示した。このように第１の外刃３１と第２の外刃３２に設ける髭導入孔はスリット状のものに限らず、円形あるいは多角形状に形成することもできる。
【００２４】
（２個の外刃の装着例）
図５〜９に、外刃枠２０に２個の外刃３０を装着する場合の、外刃３０の装着例について示す。
図５は、外刃３０と遮蔽体とを外刃枠２０に装着した例である。
図５（ａ）は、２個の外刃３０を外周側面が離間するように配置し、２個の外刃３０の中間に一つの遮蔽体２５を装着した例である。外刃３０は外刃装着孔２２の両端の円形孔部分に装着され、遮蔽体２５は２個の外刃３０の対向する領域に配置される。
外刃３０は剃り面の全体が一つの刃形成領域として形成された例を示す。なお、外刃３０を第１の外刃３１と第２の外刃として構成し、第２の外刃３２を第１の外刃３１に対して変位可能に形成することもできる。以下の実施形態においても外刃３０に形成する刃形成領域、外刃に形成する髭導入孔の形態等は適宜選択可能である。
外刃３０は外刃枠２０に対して変位可能に設けられている。遮蔽体２５も外刃枠２０に対して変位可能に取り付ける。図では、Ａ−Ａ線断面図を合わせて示す。
【００２５】
図５（ｂ）は、外刃３０の外周側面を互いに接する配置として、外刃装着孔２２に外刃３０を装着した例である。
外刃３０は外刃枠２０に対して変位可能に設ける。このため、外刃３０の外周側面が互いに接触する位置（外刃３０の中心を結ぶ線上）の近傍部分においては、第１の外刃３１のフランジ部３１ｂを除去し、第１の外刃３１の外周側面が互いに摺接して変位可能とする。一方、２個の外刃３０によって挟まれた領域部分については、図５（ａ）と同様に、外刃３０とは別体に遮蔽体２５ａ、２５ｂを設置する。この実施形態では、遮蔽体は２個となる。遮蔽体２５ａ、２５ｂは外刃３０の外周側面に外側面が摺接するように設け、外刃枠２０に対して変位可能に取り付ける。図ではＡ−Ａ線断面図、Ｂ−Ｂ線断面図を示す。
【００２６】
図５に示すように、外刃枠２０に外刃３０と遮蔽体２５、２５ａ、２５ｂとを装着する構成とした場合は、外刃装着孔２２が外部から遮蔽され、ヘッド部にたまった髭剃りくずが外部に漏出することを防止することができる。遮蔽体２５、２５ａ、２５ｂは外刃枠２０に変位可能に設けられていることにより、外刃３０による髭剃り作用の妨げとなることがない。
【００２７】
図６は、外刃装着孔２２に外刃３０を装着し、遮蔽体を装着しない構成例である。外刃３０は外刃枠２０に対して変位可能である。第２の外刃３２を第１の外刃３１に対して変位するように設けることもできる。
図６（ａ）は、２個の外刃３０を離間させて配置した例である。外刃装着孔２２は連通孔として形成されているから、２個の外刃３０の中間領域は空隙領域である。外刃の中間領域に、第１の外刃３１に設けたフランジ部３１ｂが見えている。
【００２８】
図６（ｂ）は、外周側面が接触する程度にまで外刃３０を接近させて配置した例である。外刃３０の外周側面が当接する部位ではフランジ部３１ｂを除去し、外刃３０が変位可能となるように外刃３０の外周側面を互いに摺接させる。外刃３０が接触する以外の部位では、外刃３０にフランジ部３１ｂを残しておく。この実施形態の場合も、隣り合った外刃３０の中間部分は空隙領域となる。
本実施形態のように、隣リ合った外刃３０の中間部分を空隙のままとした場合は、水洗い等によってヘッド部の内部まで簡単にクリーニングできるという利点がある。シェービングクリームを用いて髭剃りする場合のように、電気かみそりを使い終わった後に水洗いするような場合に好適である。
【００２９】
図７は、外刃３０に遮蔽体２５を連結して設けた例である。
図７（ａ）は、２個の外刃３０を離間した配置とし、各々の外刃３０に、外刃３０とは別部材として形成した遮蔽体２７ａ、２７ｂを取り付けた例である。一方の遮蔽体２７ａを他方の遮蔽体２７ｂよりも上位置とし、遮蔽体２７ａ、２７ｂの端縁部が平面方向から見て重複させる配置とすることにより、外刃枠２０に外刃３０を装着した状態で、外刃装着孔２２が外部から遮蔽される。
遮蔽体２７ａ、２７ｂは任意の素材によって形成でき、たとえば外刃３０を製作した後、プラスチックの一体成形により遮蔽体２７ａ、２７ｂを外刃３０に取り付けた構成とすることができる。
【００３０】
図７（ｂ）は、外刃３０と一体に遮蔽体３１ｃ、３１ｄを設けた例である。遮蔽体３１ｃ、３１ｄの形態は、図７（ａ）に示すと同様に、一方の遮蔽体３１ｃを他方の遮蔽体３１ｄよりも上位置とし、端縁部が重複するようにして、外刃装着孔２２が遮蔽体３１ｃ、３１ｄによって遮蔽されるように設けている。
本実施形態では、外刃３０に一体に遮蔽体３１ｃ、３１ｄを設けるから、外刃３０を製作する工程で、遮蔽体３１ｃ、３１ｄを作り込む必要がある。
図７に示すように、外刃３０に連結して遮蔽体を設ける構成とした場合は、外刃枠２０に外刃３０を装着することで同時に遮蔽体が装着できる。
【００３１】
なお、図７（ａ）、（ｂ）に示す例では、軸２４により外刃３０を外刃枠２０に軸支し、外刃３０が外刃枠２０に対して傾動するように設けている。各々の外刃３０を支持する軸２４は、各々の外刃３０の中心を通り、２個の外刃３０の中心を結ぶ線に直角向きとなるように配置した。これによって、２個の外刃３０は互いに向い合う向きに傾動する。
前述したように、第１の外刃３１に対し第２の外刃３２を任意の向きに変位可能とした場合に、第１の外刃３１を軸２４によって外刃枠２０に軸支した構成とすると、第１の外刃３１による傾動に加えて第２の外刃３２が変位し、髭剃り皮膚面への追従性がさらに良好になる。
【００３２】
図８は、外刃３０に遮蔽体を連結して設けた例で、外刃３０が外刃枠２０に対して変位する。
図８（ａ）は、外刃３０とは別部材として遮蔽体２８を設け、２個の外刃３０に取り付けた遮蔽体２８は、側面が互いに摺接するように形成されている。これによって、外刃３０は遮蔽体２８が摺接した状態で変位動作する。遮蔽体２８をプラスチック等により外刃３０と一体的に形成することにより、外刃３０を外刃枠２０に装着する操作だけで、遮蔽体２８も外刃枠２０に取り付けられ、組み立て作業が容易になる。
【００３３】
図８（ｂ）は、外刃３０と一体に、外側面が互いに摺接する遮蔽体３１ｅを設けた例である。このように、外刃３０自体に一体的に遮蔽体３１ｅを設けてもよい。この場合も、外刃３０が変位する際に、遮蔽体３１ｅの側面が摺接し、外刃３０の変位を妨げることなく髭剃りすることができる。また、髭剃りくずがヘッド部から外部に漏出することを防止することができる。
【００３４】
図９は、外周側面が接する配置に外刃３０を配置した例で、外刃３０に遮蔽体を連結した例である。図９（ａ）は、外刃３０とは別部材として遮蔽体２８ａ、２８ｂを設けた例、図９（ｂ）は、外刃３０と一体に遮蔽体３１ｆ、３１ｇを設けた例である。いずれの場合も外刃３０の外周側面が摺接する両側に遮蔽体２８ａ、２８ｂ、３１ｆ、３１ｇが配置され、外刃３０が当接する部位で外刃３０の外周側面が摺接し、遮蔽体２８ａ、２８ｂ、遮蔽体３１ｆ、３１ｇの端縁がそれぞれ摺接する。
【００３５】
（３個以上の外刃を備える電気かみそり）
上記実施の形態は、外刃枠２０に２個の外刃３０を装着した例であるが、本発明に係る回転式電気かみそりは、外刃枠２０に３個以上の外刃３０を装着する場合にも適用できる。図１０〜１２に外刃枠２０に３個の外刃３０を装着した例、図１３に４個の外刃３０を装着した例を示す。
図１０は、外刃３０の外周側面を離間させ、正三角形の頂点位置に中心が位置するように３個の外刃３０を配置した例である。図１０（ａ）は、隣り合った外刃３０の中間に遮蔽体２５を配置した例、図１０（ｂ）は、遮蔽体を装着せず、外刃３０の中間部分を空隙とした例である。いずれの場合も、外刃装着孔２２は正三角形の頂点に円形の外刃取付孔を配置したとし、３個の外刃取付孔を一つの孔として連絡した形態に外刃装着孔２２を設け、外刃取付孔の位置に各々の外刃３０を装着したものである。
【００３６】
図１０（ａ）に示す、遮蔽体２５を取り付けた例では、遮蔽体２５をガイドピン２６等により外刃枠２０に昇降可能に取り付け、外刃３０の外周側面と遮蔽体２５の外側面とを互いに摺接させることにより、遮蔽体２５に妨げられずに髭剃りすることを可能にしている。
図１０（ｂ）に示す例では、外刃３０を変位可能に外刃枠２０に取り付けることにより、髭剃り皮膚面への追従性を良好にして髭剃りすることを可能にする。
【００３７】
図１１は、３個の外刃３０を外周側面を互いに接する配置とした例である。図１１（ａ）は、遮蔽体２５を装着した例、図１１（ｂ）は、遮蔽体２５を装着していない例である。図１１（ａ）では、遮蔽体２５が４個に分割されて配置される。
本実施形態のように、外刃３０を互いに外周側面を接した配置とした場合は、外刃枠２０における外刃３０の配置をコンパクトに配置することが可能となる。また、図１０（ｂ）に示すように、３個の外刃３０の中間に空隙を設けるようにすると、ヘッド部内を水洗いによってクリーニングする操作が簡単にできるという利点がある。
【００３８】
図１２は、外刃３０に遮蔽体を連結して設けた例である。図１２（ａ）は、外刃３０に外刃３０とは別部材として形成した遮蔽体２７を取り付けた例であり、隣り合った外刃３０の遮蔽体２７の端縁部が重複する配置に遮蔽体２７を設ける。図のＥ部分が一つの外刃３０についての遮蔽体２７を示す。遮蔽体２７の取り付け構造は、図７（ａ）に示す構造と同様である。
軸２４により第１の外刃３１を外刃枠２０に軸支する。外刃３０の中心を通り、外刃３０の中心と外刃装着孔２２の対称中心とを結ぶ線に垂直方向に軸２４の軸線位置を設定することにより、各々の外刃３０は外刃装着孔２２の対称中心に向って傾動する。第２の外刃３２を第１の外刃３１に対して変位可能とすることにより、外刃３０の髭剃り皮膚面に対する追従性が良好になる。
【００３９】
図１２（ｂ）は、外刃３０に一体に遮蔽体３１ｈを設けた場合で、図８（ｂ）に示すように、隣り合った外刃３０の遮蔽体３１ｈは、互いに摺接し、外刃３０は個別に外刃枠２０に対して変位可能となる。
なお、図１２（ａ）に示した例では、外刃３０自体に遮蔽体２７を設ける構成とすることも可能であり、図１２（ｂ）に示した例では、遮蔽体３１ｈを外刃３０とは別部材として形成することもできる。
【００４０】
図１３は、外刃枠２０に４個の外刃３０を配置した例である。
本実施形態においても、外刃枠２０に形成する外刃装着孔２２は一つの孔として形成している。各々の外刃３０は外刃装着孔２２のコーナーに合わせて配置し、外刃装着孔２２の平面領域内で隣り合った外刃３０の中間部分には外刃枠２０に対して変位可能に遮蔽体２５を配置している。遮蔽体２５を配置するかわりに、隣り合った外刃３０の中間を空隙とすることもできる。外刃装着孔２２を一つの孔として形成しているから、外周側面が互いに接する程度にまで外刃３０を接近させて配置することが可能である。また、外刃３０に第１の外刃３１と第２の外刃３２を設け、第２の外刃３２を第１の外刃に対して変位可能とすることもできる。本実施形態の場合も、外刃３０の剃り面は全体として髭剃り皮膚面に面的に接触して髭剃りすることができる。
【００４１】
（回転式電気かみそりの作用）
本発明に係る回転式電気かみそりは、上述した各実施形態において示したように、外刃枠２０に設ける外刃装着孔２２を一つの孔として形成したから、外刃枠２０に外刃３０を配置する際に、外刃３０の外周側面を互いに接する程度にまで接近させて配置することが可能となり、従来の電気かみそりにくらべて外刃３０をコンパクトに配置することができ、髭剃りした際に剃り残しを少なくするようにすることが可能になる。
【００４２】
図１４に、外刃枠２０に外刃３０を２個配置した電気かみそりを例として、電気かみそりを動かして髭剃りした際の剃り領域について示す。図１４（ａ）は、外周側面を接するように外刃枠２０に外刃３０を配置した場合であり、この場合には、外刃３０の並び方向と直交する向きに電気かみそりを動かして髭剃りすると、剃り領域Ｆが接した状態になり、ほぼ剃り残しがない状態で髭剃りできる。
図１４（ｂ）は、外刃３０の外周側面を若干離間して配置した例である。本発明の回転式電気かみそりでは、外刃３０を従来の電気かみそりと比較してより接近させた配置とすることができるから、髭剃り時の剃り領域Ｆをより接近させ、剃り残し部分を少なくするようにすることが容易に可能になる。
【００４３】
図１５は、本発明に係る回転式電気かみそりにより、複数の外刃３０を同時に髭剃り皮膚面に押し当てて髭剃りしている場合の髭剃り皮膚面と外刃３０との関係を示す。図１５（ａ）は、外刃３０に凸状の髭剃り皮膚面を押し当てた状態で、外刃３０の剃り面３０ａが外刃枠２０の外面２０ａから上方に位置する場合、図１５（ｂ）は、押し当て力を所定の圧力以上とした場合で、外刃３０の剃り面３０ａの全面が外刃枠２０の外面２０ａよりも下側に変位した状態を示す。
本発明に係る回転式電気かみそりでは、従来の回転式電気かみそりに形成されているリブが排除されているから、髭剃り皮膚面に外刃３０を押し当てた際に、リブによって髭剃り皮膚面が変形することがなく、髭剃り皮膚面は一様な滑らかな形状を保った状態のまま、隣り合った外刃３０が髭剃り皮膚面に当接する。これにより、髭剃り皮膚面に対する外刃３０の追従性が良好となり、効率的な髭剃りが可能になる。
【００４４】
髭剃り皮膚面に対する外刃３０の追従性は、外刃３０の剃り面３０ａが外刃枠２０の外面２０ａよりも上位置にある場合（図１５（ａ））、外刃３０の剃り面３０ａの一部が外刃枠２０の外面２０ａよりも下位置にある場合、外刃３０の剃り面３０ａの全面が外刃枠２０の外面２０ａよりも下位置にある場合（図１５（ｂ））のいずれの場合も変わらない。このことは、図１８に示した、従来の髭剃り皮膚面と外刃１０との作用と比較すると顕著に異なる。
また、本発明に係る回転式電気かみそりでは、外刃３０によって髭剃り皮膚が滑らかな曲面状に支持されることと、隣り合った外刃の中間部分では、隣り合った外刃同士が髭剃り皮膚面をともに支持する（持ち上げる）ように作用し、一方の外刃３０についてみると、他方の外刃３０は髭剃り皮膚面を持ち上げるように作用することにより、外刃３０のコーナー部に髭剃り皮膚が強く当たることが防止され、外刃３０に形成された髭導入孔に皮膚が入り込まないようになる。これによって、髭剃り時のひりつきが防止される。
本発明では、隣り合った外刃を容易に接近させた配置とすることができるから、外刃同士をより接近させた配置とすることにより、髭剃り皮膚面を外刃同士によって支持する作用が強められ、これによって髭剃り皮膚面の変形をさらに防止して、髭剃り皮膚面と外刃との追従性、ひりつき防止作用を向上させることができる。また、外刃同士を接近させて配置した場合には、合わせて剃り残しを少なくする効果が得られる。
【００４５】
なお、前述した実施形態のように、外刃３０に第１の外刃３１と第２の外刃３２を設け、第２の外刃３２を第１の外刃に対して変位可能とした場合には、髭剃り皮膚面との追従性をさらに向上させることができる。
図１６は、第１の外刃３１に第２の外刃３２を変位可能に設け、第２の外刃３２を剃り面が第１の外刃３１の剃り面よりも突出するように付勢して設けた場合の外刃３０の作用を示す。図１６（ａ）は、髭剃り皮膚の凸部分が外刃３０に当たる場合で、第１の外刃３１と第２の外刃３２とが傾くことによって髭剃り皮膚の凸部分に剃り面がならうようになることを示す。図１６（ｂ）は、髭剃り皮膚の凹部分が外刃３０に当たる場合で、第１の外刃３１の剃り面よりも第２の外刃３２の剃り面が突出していることによって髭剃り皮膚の凹部分に的確に外刃３０の剃り面が追従して髭剃りされることを示す。
本発明の回転式電気かみそりでは、外刃３０の髭剃り皮膚面に対する追従性が向上し、髭剃り皮膚面に面的に外刃３０の剃り面が接触するから、第１の外刃３１と第２の外刃３２を設けた場合は、双方に髭剃り皮膚面が接触して効率的な髭剃りがなされるようになる。
【図面の簡単な説明】
【００４６】
【図１】回転式電気かみそりの一実施形態の構成を示す正面図である。
【図２】図１に示す回転式電気かみそりの外刃と外刃枠の平面図である。
【図３】外刃と内刃の構成を示す、図２のＤ−Ｄ線断面図である。
【図４】外刃に形成される髭導入孔の構成と配置を示す平面図である。
【図５】外刃枠における、外刃と遮蔽体の平面配置例を示す説明図である。
【図６】外刃枠における、外刃の平面配置例を示す説明図である。
【図７】外刃枠における、遮蔽体を連結した外刃の平面配置例を示す説明図である。
【図８】外刃枠における、遮蔽体を連結した外刃の他の平面配置例を示す説明図である。
【図９】外刃枠における、遮蔽体を連結した外刃のさらに他の平面配置例を示す説明図である。
【図１０】外刃枠に外刃を３個装着した場合の平面配置例を示す説明図である。
【図１１】外刃枠に外刃を３個装着した場合の平面配置例を示す説明図である。
【図１２】外刃枠に外刃を３個装着した場合の平面配置例を示す説明図である。
【図１３】外刃枠に外刃を４個装着した場合の平面配置例を示す説明図である。
【図１４】外刃枠に外刃を２個装着した場合の、髭剃り時の剃り残し領域を示す説明図である。
【図１５】髭剃り時の髭剃り皮膚面と外刃との関係を示す説明図である。
【図１６】髭剃り皮膚面に第１の外刃と第２の外刃が追従する状態を示す説明図である。
【図１７】従来の回転式電気かみそりの例を示す斜視図である。
【図１８】従来の回転式電気かみそりの作用を示す説明図である。
【符号の説明】
【００４７】
１０  外刃
１２、２０  外刃枠
１２ａ  リブ
１２ｂ、２０ａ  外面
２２  外刃装着孔
２４  軸
２５、２５ａ、２５ｂ  遮蔽体
２７、２７ａ、２７ｂ  遮蔽体
２８  遮蔽体
３０、３５  外刃
３０ａ  剃り面
３１  第１の外刃
３１ａ、３２ａ  髭導入孔
３１ｂ  フランジ部
３１ｃ、３１ｄ、３１ｅ、３１ｆ、３１ｇ、３１ｈ  遮蔽体
３２  第２の外刃
３３、３４ａ、３４ｂ  剃り面
４０  第１の内刃
４８  スプリング
５０  第２の内刃
６０  駆動軸
６０ａ  係合部
７０  駆動モータ
【図１】
2008073358.tif 000003
【図２】
2008073358.tif 000004
【図３】
2008073358.tif 000005
【図４】
2008073358.tif 000006
【図５】
2008073358.tif 000007
【図６】
2008073358.tif 000008
【図７】
2008073358.tif 000009
【図８】
2008073358.tif 000010
【図９】
2008073358.tif 000011
【図１０】
2008073358.tif 000012
【図１１】
2008073358.tif 000013
【図１２】
2008073358.tif 000014
【図１３】
2008073358.tif 000015
【図１４】
2008073358.tif 000016
【図１５】
2008073358.tif 000017
【図１６】
2008073358.tif 000018
【図１７】
2008073358.tif 000019
【図１８】
2008073358.tif 000020